(57)【要約】【課題】ベゼルを任意の回転位置で確実に固定することができる時計用ケースを提供すること、また、前記時計用ケースを備えた時計を提供すること。【解決手段】時計用ケース１は、ケース本体２と、ケース本体２に、長針の回転軸回りに回転可能に設置されたリング状のベゼル３と、ケース本体２に歯車状に形成された歯部４１と、ベゼル３に設けられ、歯部４１に係合してベゼル３の回転を一方向にのみ禁止する第１の係止部４２３と、歯部４１に係合してベゼル３の回転を一方向とは逆の方向にのみ禁止する第２の係止部４２４と、第１の係止部４２３が歯部４１に係合する方向に第１の係止部４２３を付勢する付勢部４２１とを有する係止部材４２と、第１の係止部４２３を押圧する押圧部材４３とを備え、押圧部材４３により第１の係止部４２３が押圧されたとき、第１の係止部４２３が移動して歯部４１から離間して、一方向への回転が可能になるよう構成されている。【選択図】図４
2005326280.tif 000002
【特許請求の範囲】
【請求項１】
アナログ時計用のケースであって、
ムーブメントを収納するケース本体と、
前記ケース本体の表側に、前記ムーブメントの長針の回転軸回りに回転可能に設置され
たリング状のベゼルと、
前記ベゼルの回転を任意の回転位置で禁止する回転禁止手段を備えたことを特徴とする
時計用ケース。
【請求項２】
前記回転禁止手段は、前記ケース本体および前記ベゼルの一方に歯車状に形成された歯
部と、他方に設けられ、前記歯部に係合する係止部と、該係止部が前記歯部に係合する方
向に前記係止部を付勢する付勢部と、前記係止部と前記歯部との係合を解除可能な解除部
とを有する請求項１に記載の時計用ケース。
【請求項３】
前記係止部と前記付勢部とは、一体的に形成されている請求項２に記載の時計用ケース
。
【請求項４】
前記付勢部は、板バネで構成されている請求項２または３に記載の時計用ケース。
【請求項５】
前記解除部は、前記係止部を押圧する押圧部材で構成され、該押圧部材で前記係止部を
押圧することにより、前記係止部が移動して前記歯部からはずれるよう構成されている請
求項２ないし４のいずれかに記載の時計用ケース。
【請求項６】
前記ベゼルが回転するとき、その回転方向を一方向に規制する規制手段を備える請求項
１ないし５のいずれかに記載の時計用ケース。
【請求項７】
前記規制手段は、前記ケース本体および前記ベゼルの一方に歯車状に形成された歯部に
対し、前記一方向の回転を許容する位置と、前記一方向とは逆の回転を禁止する位置とに
変位可能な係合部を有する請求項６に記載の時計用ケース。
【請求項８】
アナログ時計用のケースであって、
ムーブメントを収納するケース本体と、
前記ケース本体の表側に、前記ムーブメントの長針の回転軸回りに回転可能に設置され
たリング状のベゼルと、
前記ケース本体および前記ベゼルの一方に歯車状に形成された歯部と、
他方に設けられ、前記歯部に係合して前記ベゼルの回転を一方向にのみ禁止する第１の
係止部と、前記歯部に係合して前記ベゼルの回転を前記一方向とは逆の方向にのみ禁止す
る第２の係止部と、前記第１の係止部が前記歯部に係合する方向に前記第１の係止部を付
勢する付勢部とを有する板状体で構成された係止部材と、
前記付勢部の付勢力に抗して、前記第１の係止部を押圧する押圧部材とを備え、
前記押圧部材により前記第１の係止部が押圧されたとき、前記第１の係止部が移動して
前記歯部からはずれて、前記ベゼルの前記一方向への回転が可能になるよう構成されてい
ることを特徴とする時計用ケース。
【請求項９】
前記第１の係止部と、前記第２の係止部と、前記付勢部とが一体的に形成されている請
求項８に記載の時計用ケース。
【請求項１０】
前記第１の係止部と、前記第２の係止部と、前記付勢部とが１枚の板バネを折り曲げる
ことにより形成されている請求項９に記載の時計用ケース。
【請求項１１】
前記係止部材には、前記第１の係止部と、前記第２の係止部とを連結する連結部が設け
られている請求項８ないし１０のいずれかに記載の時計用ケース。
【請求項１２】
請求項１ないし１１のいずれかに記載の時計用ケースを備えたことを特徴とする時計。
【発明の詳細な説明】
【技術分野】
【０００１】
本発明は、時計用ケースおよびそれを備えた時計に関する。
【背景技術】
【０００２】
従来の時計用ケースには、例えば、特許文献１に記載される技術が知られている。この
時計用ケースは、胴（ケース本体）とベゼル（回転リング）とを有し、ベゼルが胴の上部
外周に設けられるとともに、周方向に回転することができるよう構成されている。また、
このベゼルには、ムーブメントの長針が指し示す目盛りが、ベゼルの周方向に付されてい
る。
このような時計用ケースは、ベゼルを回転させて任意の位置で停止させ、時間の経過に
伴って回転する長針がこの目盛りを指し示すことにより、ユーザが前記経過した時間を計
測（確認）することができるよう構成されている。
【０００３】
しかしながら、前記時計用ケースでは、例えば接触等によりベゼルが不本意に回転する
場合があった。従って、ユーザが経過時間を正確に計測することができないおそれが生じ
るという問題あった。例えば、ユーザが海中を潜水した場合、前述したように経過時間（
潜水時間）を正確に計測することができないとすると、ユーザが例えば酸欠などの危険に
さらされることがある。
【０００４】
【特許文献１】実開平２−７１２９４号公報
【発明の開示】
【発明が解決しようとする課題】
【０００５】
本発明の目的は、ベゼルを任意の回転位置で確実に固定することができる時計用ケース
を提供すること、また、前記時計用ケースを備えた時計を提供することにある。
【課題を解決するための手段】
【０００６】
このような目的は、下記の本発明により達成される。
本発明の時計用ケースは、アナログ時計用のケースであって、
ムーブメントを収納するケース本体と、
前記ケース本体の表側に、前記ムーブメントの長針の回転軸回りに回転可能に設置され
たリング状のベゼルと、
前記ベゼルの回転を任意の回転位置で禁止する回転禁止手段を備えたことを特徴とする
。
これにより、ベゼルを任意の回転位置で確実に固定することができる時計用ケースを提
供することができる。
【０００７】
本発明の時計用ケースでは、前記回転禁止手段は、前記ケース本体および前記ベゼルの
一方に歯車状に形成された歯部と、他方に設けられ、前記歯部に係合する係止部と、該係
止部が前記歯部に係合する方向に前記係止部を付勢する付勢部と、前記係止部と前記歯部
との係合を解除可能な解除部とを有することが好ましい。
これにより、ベゼルを任意の回転位置で確実に固定することができる時計用ケースを提
供することができる。
【０００８】
本発明の時計用ケースでは、前記係止部と前記付勢部とは、一体的に形成されているこ
とが好ましい。
これにより、時計用ケース（時計）を構成する部品点数を削減することができ、時計用
ケース（時計）を組立てる際の組立工数も削減することができる。
本発明の時計用ケースでは、前記付勢部は、板バネで構成されていることが好ましい。
これにより、簡単な構造で付勢力を得ることができる。
【０００９】
本発明の時計用ケースでは、前記解除部は、前記係止部を押圧する押圧部材で構成され
、該押圧部材で前記係止部を押圧することにより、前記係止部が移動して前記歯部からは
ずれるよう構成されていることが好ましい。
これにより、ベゼルを任意の回転位置で確実に固定することができる時計用ケースを提
供することができる。
【００１０】
本発明の時計用ケースでは、前記ベゼルが回転するとき、その回転方向を一方向に規制
する規制手段を備えることが好ましい。
これにより、ベゼルの回転方位を一方向に規制することができる。
本発明の時計用ケースでは、前記規制手段は、前記ケース本体および前記ベゼルの一方
に歯車状に形成された歯部に対し、前記一方向の回転を許容する位置と、前記一方向とは
逆の回転を禁止する位置とに変位可能な係合部を有することが好ましい。
これにより、簡単な構成でベゼルの回転方位を一方向に規制することができる。
【００１１】
本発明の時計用ケースは、アナログ時計用のケースであって、
ムーブメントを収納するケース本体と、
前記ケース本体の表側に、前記ムーブメントの長針の回転軸回りに回転可能に設置され
たリング状のベゼルと、
前記ケース本体および前記ベゼルの一方に歯車状に形成された歯部と、
他方に設けられ、前記歯部に係合して前記ベゼルの回転を一方向にのみ禁止する第１の
係止部と、前記歯部に係合して前記ベゼルの回転を前記一方向とは逆の方向にのみ禁止す
る第２の係止部と、前記第１の係止部が前記歯部に係合する方向に前記第１の係止部を付
勢する付勢部とを有する板状体で構成された係止部材と、
前記付勢部の付勢力に抗して、前記第１の係止部を押圧する押圧部材とを備え、
前記押圧部材により前記第１の係止部が押圧されたとき、前記第１の係止部が移動して
前記歯部からはずれて、前記ベゼルの前記一方向への回転が可能になるよう構成されてい
ることを特徴とする。
これにより、ベゼルを任意の回転位置で確実に固定することができる時計用ケースを提
供することができる。
【００１２】
本発明の時計用ケースでは、前記第１の係止部と、前記第２の係止部と、前記付勢部と
が一体的に形成されていることが好ましい。
これにより、時計用ケース（時計）を構成する部品点数を削減することができ、時計用
ケース（時計）を組立てる際の組立工数も削減することができる。
本発明の時計用ケースでは、前記第１の係止部と、前記第２の係止部と、前記付勢部と
が１枚の板バネを折り曲げることにより形成されていることが好ましい。
これにより、係止部材を容易に製造することができる。
【００１３】
本発明の時計用ケースでは、前記係止部材には、前記第１の係止部と、前記第２の係止
部とを連結する連結部が設けられていることが好ましい。
これにより、係止部材を容易に製造することができる。
本発明の時計は、本発明の時計用ケースを備えたことを特徴とする。
これにより、ベゼルを任意の回転位置で確実に固定することができる時計用ケースを備
えた時計を提供することができる。
【発明の効果】
【００１４】
本発明によれば、ベゼルを任意の回転位置で確実に固定することができる時計用ケース
を提供すること、また、前記時計用ケースを備えた時計を提供することができる。
【発明を実施するための最良の形態】
【００１５】
以下、本発明の時計用ケースおよび時計を添付図面に示す好適な実施形態に基づいて詳
細に説明する。なお、本実施形態では、本発明の時計を腕時計に適用した場合の実施形態
となっている。
＜第１実施形態＞
図１は、本発明の時計用ケース（第１実施形態）を備えた腕時計の斜視図、図２は、図
１中のＡ−Ａ線断面図、図３は、図１に示す時計用ケースの分解斜視図、図４は、図１中
のＢ−Ｂ線断面図、図５は、図４中のＡ−Ａ線断面図、図６は、図４中のＢ−Ｂ線断面図
、図７〜図９は、それぞれ、図１に示す時計用ケースの動作を示す概略図である。なお、
以下では、説明の都合上、図１〜図３、図５および図６の上側を「上」または「上方」、
下側を「下」または「下方」と言う。
【００１６】
図１および図２に示すように、アナログ時計（時計）１０（以下、単に「時計」という
）は、時計用ケース（以下、単に「ケース」という）１と、時計用ケース１（胴２）の内
部に設置（収納）され、時計用針１１１を駆動するムーブメント１１と、時計１０を腕に
装着する際に用いられるバンド１２とを備えている。以下、各部の構成について説明する
。
図１（図２）に示すように、時計用ケース１は、胴（ケース本体）２と、ガラス板（カ
バーガラス）１３と、ガラス板１３を保持するベゼル３と、胴２の裏側に設置される裏蓋
１４とを有している。
【００１７】
図２に示す胴２には、巻真パイプ２６が嵌入され、この巻真パイプ２６に、りゅうず２
４が回転可能に設けられている。りゅうず２４を回転させることにより、そのトルクが
シャフト２７を介して、ムーブメント１１に伝わる。これにより、時計用針１１１を調整
することができる、すなわち、表示する時刻を調整することができる。
ベゼル３とガラス板１３とは、互いにプラスチックパッキン２９により固定されている
。
【００１８】
また、胴２に対し裏蓋１４が嵌合（または螺合）されており、これらの接合部（シール
部）５０には、リング状のゴムパッキン（裏蓋パッキン）４０が圧縮状態で介挿されてい
る。この構成によりシール部５０が液密に封止され、防水機能が得られる（図２参照）。
胴２は、その軸方向（図２中、上下方向）に貫通する内腔部２２と、係合部２１とを有
する（図２参照）。
【００１９】
図３に示すように、係合部２１は、その形状が環状をなしており、内腔部２２と同心的
に、胴２の上部に突出して形成されている。
ベゼル３は、その形状がリング状（環状）をなしている。ベゼル３の内周には、胴２の
係合部２１に嵌め込まれる（係合する）係合部３４が設けられている。このベゼル３は、
ベゼル３の係合部３４と胴２の係合部２１とが係合することにより、胴２の表側に回転可
能に設置されている。また、ベゼル３の回転は、ムーブメント１１の長針１１１ａ（時計
用針１１１）の回転軸回りの回転となる。
【００２０】
ベゼル３の上面には、目盛り３６が付されている。この目盛り３６を時計用針１１１が
指し示すことにより、時間の経過を確認することができる。
また、時計用ケース１は、ベゼル３の回転を任意の回転位置で禁止する回転禁止手段４
をさらに有している。図３に示すように、回転禁止手段４は、歯部４１と、係止部材４２
と、押圧部材（解除部）４３とを有している。
【００２１】
歯部４１は、その形状が歯車状をなしており、胴２の上部（上面）に形成されている。
また、この歯部４１は、係合部２１と同心的に、係合部２１の外側に設けられている。ま
た、歯部４１は、その歯面４１１を胴２の径方向内側に向けて形成されている。
図３に示すように、係止部材４２は、ほぼ円弧状をなした板状体で構成されている。係
止部材４２は、ベゼル３の下部（下面）に形成された、形状が係止部材４２の形状に対応
した、すなわち、ほぼ円弧状の係止部材設置空間３５内に設置されている。
【００２２】
また、図３に示すように、係止部材４２には、第１の係止部（係止部）４２３と、第２
の係止部（係合部）４２４と、第１の付勢部（付勢部）４２１と、第２の付勢部４２２と
が形成されている。
第１の付勢部４２１および第２の付勢部４２２は、それぞれ、係止部材４２のアーチ状
部（連結部）４２５の両端部に設けられている。第１の付勢部４２１および第２の付勢部
４２２は、それぞれ、長尺状をなす板バネで構成され、それらが互いに対向して、すなわ
ち、それらがほぼハの字状をなすように設けられている。
【００２３】
第１の付勢部４２１および第２の付勢部４２２がそれぞれ板バネで構成されていること
により、係止部材４２の大きさを制限することができ、よって、係止部材設置空間３５の
ような狭い空間に係止部材４２を容易に設置することができる（図５、図６参照）。
第１の係止部４２３は、第１の付勢部４２１の一端部を折り曲げたように形成されてい
る。また、これと同様に、第２の係止部４２４も第２の付勢部４２２の一端部を折り曲げ
たように形成されている。このように、第１の係止部４２３と第２の係止部４２４とは、
アーチ状部４２５を介して連結されている。
【００２４】
図４に示すように、このような構成の係止部材４２は、胴２に対してベゼル３が設置さ
れたとき（ベゼル３の回転が停止しているとき）に、第１の係止部４２３と、第２の係止
部４２４とが胴２の歯部４１に係合する（歯面４１１に当接する）。言い換えると、係止
部材４２は、胴２に対してベゼル３が設置されたときに、第１の係止部４２３と、第２の
係止部４２４とが歯部４１の１つの歯４１２を時計方向および反時計方向から挟み込む。
このように、係止部材４２は、第１の係止部４２３と、第２の係止部４２４との間隔が歯
部４１の歯厚とほぼ同等となるように構成（形成）されている。
【００２５】
係止部材４２では、第１の付勢部４２１が、第１の係止部４２３が歯部４１に係合する
方向に第１の係止部４２３を付勢するため、第１の係止部４２３と歯部４１との係合が確
実に行われる。また、これと同様に、第２の付勢部４２２が、第２の係止部４２４が歯部
４１に係合する方向に第２の係止部４２４を付勢するため、第２の係止部４２４と歯部４
１との係合が確実に行われる。
【００２６】
係止部材４２には、２つのガイド部４２６がそれぞれ、アーチ状部４２５の両端部に設
けられている。このガイド部４２６は、係止部材４２が係止部材設置空間３５に収納され
た際、係止部材設置空間３５の内面に当接する。これにより、係止部材４２が係止部材設
置空間３５に固定される。
また、第１の係止部４２３と、第２の係止部４２４と、第１の付勢部４２１と、第２の
付勢部４２２と、アーチ状部４２５と、ガイド部４２６とが一体的に形成されている、す
なわち、これらが１つの部品（部材）で構成されていることにより、ケース１（時計１０
）を構成する部品点数を削減することができ、ケース１（時計１０）の組立てる際の組立
工数も削減することができる。
このように、係止部材４２は、それぞれの機能を有する第１の係止部４２３と、第２の
係止部４２４と、第１の付勢部４２１と、第２の付勢部４２２と、アーチ状部４２５と、
ガイド部４２６とが、１枚の板状体（板バネ）を適宜折り曲げて形成されている。これに
より、係止部材４２を容易に製造することができる。
【００２７】
押圧部材（押ボタン）４３は、歯部４１と第１の係止部４２３（係止部材４２）との係
合を解除するように、第１の係止部４２３を押圧する部材である。押圧部材４３は、操作
部４３１と、押圧部４３２とで構成されている。
操作部４３１は、押圧部材４３を図４中の矢印方向に押圧するときに押圧する部位であ
る。この操作部４３１は、その形状が円柱状をなしている。
【００２８】
押圧部４３２は、操作部４３１の一端に一体形成され、操作部４３１より縮径した円柱
状をなしている。
このような構成の押圧部材４３は、ベゼル３の側面に設けられた孔３１に差し込まれて
設置されている（図１〜図４参照）。このとき、押圧部材４３は、押圧部４３２が第１の
係止部４２３に当接するように設置されている（図５参照）。
なお、係止部材４２および押圧部材４３の構成材料としては、特に限定されないが、例
えば、各種金属材料や各種プラスチック等を単独または組み合わせて用いることができる
。
【００２９】
次に、ケース１の動作について説明する。
まず、図７に示すように、通常状態の時計用ケース１では、回転禁止手段４の作動によ
りベゼル３が胴２に対して確実に固定されている。具体的には、係止部材４２の第１の係
止部４２３が歯部４１に嵌り込むことにより、ベゼル３の時計回りの回転が禁止（規制）
される。また、第２の係止部４２４が歯部４１に嵌り込むことにより、ベゼル３の反時計
回りの回転が禁止（規制）される。これらの規制により、ベゼル３が胴２に確実に固定さ
れている。なお、ここで、「通常状態」とは、押圧部材４３（操作部４３１）に外力が作
用していない状態をいう。
この状態では、例えば、使用時の接触等によりベゼル３に回転方向の外力が作用しても
、ベゼル３が回転して長針１１１ａに対する目盛り３６の位置ズレが生じることが防止さ
れる。
【００３０】
次に、ベゼル３を回転させるときには、第１の付勢部４２１の付勢力に抗して、押圧部
材４３を押し込む（押圧する）。これにより、図８に示すように、第１の係止部４２３が
ベゼル３の中心に向って移動して歯部４１から離間する（はずれる）、すなわち、第１の
係止部４２３と歯部４１との係合が解除される。この解除により、ベゼル３が時計回りに
のみ回転可能となる。
【００３１】
また、第２の係止部４２４は、第２の付勢部４２２の付勢力により、歯部４１に係合し
た状態を維持している。すなわち、ベゼル３の反時計回りの回転は、依然として禁止され
ている。
そして、押圧部材４３を押し込みつつ、ベゼル３を時計回り回転させる。これにより、
ベゼル３の回転位置を任意に調整することができる。
【００３２】
また、ベゼル３が回転するとき、第２の係止部４２４は、歯部４１の歯４１２（歯面４
１１）に押圧され、歯４１２に当接しつつ、通常状態における位置（ベゼル３の反時計回
りの回転を禁止する位置）から、歯部４１より内側の位置（ベゼル３の時計回りの回転を
許容する位置）に変位する。このように、第２の係止部４２４は、ベゼル３が回転すると
き、その回転方向を一方向に規制する規制手段としての機能を有している。これにより、
簡単な構成でベゼル３の回転方位を一方向に規制することができる。
【００３３】
次に、ベゼル３を再度固定するときには、押圧部材４３の押し込みを解除する。これに
より、図９に示すように、第１の係止部４２３が第１の付勢部４２１の付勢力により歯部
４１に向って移動して、再度、歯部４１に係合する。
また、このとき、第２の係止部４２４も同様に、第２の付勢部４２２の付勢力により歯
部４１に向って移動して、再度、歯部４１に係合する。
【００３４】
これらの係合により、前述と同様に、ベゼル３を胴２に対して再度、確実に固定するこ
とができる。
このケース１によれば、通常状態にて、回転禁止手段４がベゼル３を胴２に固定するよ
うに作動することにより、胴２に対するベゼル３の回転がロックされる（禁止される）の
で、誤動作によるベゼル３の位置ズレが効果的に抑制される利点がある。特に、従来の時
計用ケースでは、ベゼルの位置ズレを防止するためにベゼルと胴との嵌め合いが強固設定
されており、ベゼルを操作するときに高い回転トルクが必要となる。このため、従来の時
計用ケースでは、ベゼルの操作性が低いという問題があった。この点において、このケー
ス１では、ベゼル３が回転禁止手段４の作動により固定されており、ベゼル３の操作時に
は回転禁止手段４の作動によるロックが容易に外れる構成であるため、低い回転トルクに
て容易にベゼル３を操作できる利点がある。
【００３５】
また、従来の時計用ケースでは、前述のようにベゼルと胴との嵌め合いが強固に設定さ
れていたため、ベゼルの操作性を向上させるために、すなわち、ベゼルの表面における滑
り防止のために、一般に、ベゼルの外縁に凹部が形成される。この点において、このケー
ス１では、上記のようにベゼル３の操作性が向上しているので、かかる凹部の省略が可能
となり、デザイン上の制約が低減される利点がある。
【００３６】
また、ケース１は、例えば、ダイバーズウォッチなどに用いることができるため、ベゼ
ル３に目盛り３６が設けられており（図１参照）、また、ベゼル３が一方向（反時計回り
）にのみ回転できる構成となっている。これにより、ベゼル３を回転させて経過時間を計
測することができる。特に、このケース１では、回転禁止手段４の作動によりベゼル３の
位置ズレが防止されるので、経過時間を正確に計測できる利点がある。
また、このケース１では、ベゼル３の外縁に沿って複数の凹部３３が形成されており、
これにより、ベゼルの表面における滑り防止がなされて、ベゼル３を回転させるときの操
作性が向上している。
【００３７】
＜第２実施形態＞
図１０は、本発明の時計用ケース（第２実施形態）を備えた腕時計の部分断面図である
。
以下、この図を参照して本発明の時計用ケースおよび時計の第２実施形態について説明
するが、前述した実施形態との相違点を中心に説明し、同様の事項はその説明を省略する
。
本実施形態は、ベゼルの形状が異なること以外は前記第１実施形態と同様である。
【００３８】
図１０に示すように、ベゼル３Ａには、凹部３７が形成されている。凹部３７は、孔３
１より拡径して、孔３１の外側に設けられている。
押圧部材４３は、操作部４３１が凹部３７に収納されるように設置されている。すなわ
ち、押圧部材４３は、押圧部材４３の頂面４３１ａがベゼル３の周面（側面）から突出し
ないように設置されている。これにより、使用時にて誤って押圧部材４３が押される事態
が防止されるため、誤動作によるベゼル３の位置ズレがより効果的に抑制される利点があ
る。
【００３９】
以上、本発明の時計用ケースおよび時計を図示の実施形態について説明したが、本発明
は、これに限定されるものではなく、時計用ケースおよび時計を構成する各部は、同様の
機能を発揮し得る任意の構成のものと置換することができる。また、任意の構成物が付加
されていてもよい。
また、ムーブメント（時計）は、機械式、クオーツのいずれであってもよい。
【００４０】
また、時計の好ましい形態としては、腕時計であるのに限定されず、例えば、懐中時計
、置き時計、吊り下げ時計であってもよい。
また、歯部は、胴に設けられているのに限定されず、ベゼルに設けられていてもよい。
また、このとき、歯部と係合する係止部材（係止部）は、胴に設けられることとなる。
また、押圧部材は、第１の係止部を押圧するように設置されるのに限定されず、第２の
係止部を押圧するように設置されてもよい。これにより、ベゼルを反時計回りにのみ回転
することができる。
また、ベゼルには、時間の経過を表示する目盛りが付されているのに限定されず、例え
ば、いわゆるワールドタイムを表示する目盛り、方位を表示する目盛り、高度を表示する
目盛り、燃料計算や速度計算ができる目盛り、単位の換算などができる目盛りが付されて
いてもよい。
【図面の簡単な説明】
【００４１】
【図１】本発明の時計用ケース（第１実施形態）を備えた腕時計の斜視図である。
【図２】図１中のＡ−Ａ線断面図である。
【図３】図１に示す時計用ケースの分解斜視図である。
【図４】図１中のＢ−Ｂ線断面図である。
【図５】図４中のＡ−Ａ線断面図である。
【図６】図４中のＢ−Ｂ線断面図である。
【図７】図１に示す時計用ケースの動作を示す概略図である。
【図８】図１に示す時計用ケースの動作を示す概略図である。
【図９】図１に示す時計用ケースの動作を示す概略図である。
【図１０】本発明の時計用ケース（第２実施形態）を備えた腕時計の部分断面図である。
【符号の説明】
【００４２】
１……ケース（時計用ケース）  ２……胴  ２１……係合部  ２２……内腔部  ２４…
…りゅうず  ２６……巻真パイプ  ２７……シャフト  ２９……プラスチックパッキン  
３、３Ａ……ベゼル  ３１……孔  ３３……凹部  ３４……係合部  ３５……係止部材設
置空間  ３６……目盛り  ３７……凹部  ４……回転禁止手段  ４１……歯部  ４１１…
…歯面  ４１２……歯  ４２……係止部材  ４２１……第１の付勢部  ４２２……第２の
付勢部  ４２３……第１の係止部  ４２４……第２の係止部  ４２５……アーチ状部  ４
２６……ガイド部  ４３……押圧部材  ４３１……操作部  ４３１ａ……頂面  ４３２…
…押圧部  １０……時計  １１……ムーブメント  １１１……時計用針  １１１ａ……長
針  １２……バンド  １３……ガラス板  １４……裏蓋  ４０……ゴムパッキン  ５０…
…接合部（シール部）
【図１】
2005326280.tif 000003
【図２】
2005326280.tif 000004
【図３】
2005326280.tif 000005
【図４】
2005326280.tif 000006
【図５】
2005326280.tif 000007
【図６】
2005326280.tif 000008
【図７】
2005326280.tif 000009
【図８】
2005326280.tif 000010
【図９】
2005326280.tif 000011
【図１０】
2005326280.tif 000012